(57)【要約】【課題】生産性の向上を図る。【解決手段】１２時６時方向に沿って外方に突出し、略３時９時方向に沿う第一の貫通穴２５を有する係合突起部２４を備える本体ケース２０と、この本体ケースの表面に取り付けられ、係合突起部に並んで突出すると共に第一の貫通穴と同一軸上となる位置に第二の貫通穴３２が形成された突部３１を有する外装ケース３０と、並んで突出する係合突起部及び突部が挿入される凹状部４２を有すると共に第一及び第二の貫通穴と同一軸上となる位置に第三の貫通穴４４が形成されたバンド取り付け部材４０と、その一端部がバンド取り付け部材に装着されるリストバンド６０と、第一、第二、第三の全ての貫通穴に挿入される棒状部材５０とを備え、リストバンドに、棒状部材の両端部の各々が挿入される係止穴６１ｇを設けた。【選択図】　　　　　図１
2004125428.tif 000002
【特許請求の範囲】
【請求項１】
文字盤の平面に沿った任意の一方向に沿って外方に突出すると共に前記任意の一方向に略直交する方向に沿って第一の貫通穴が形成された係合突起部を備える本体ケースと、
この本体ケースの表面に取り付けられ、前記係合突起部に並んで突出すると共に前記第一の貫通穴と同一軸上となる位置に第二の貫通穴が形成された突部を有する外装ケースと、
前記係合突起部及び突部が挿入される凹状部を有すると共に前記第一及び第二の貫通穴と同一軸上となる位置に第三の貫通穴が形成されたバンド取り付け部材と、
一端部が前記バンド取り付け部材に装着されるリストバンドと、
前記第一、第二、第三の全ての貫通穴に挿入される棒状部材とを備え、
前記リストバンドに、前記棒状部材の両端部の各々が挿入される係止穴を設けたことを特徴とする腕時計。
【請求項２】
前記バンド取り付け部材を弾性素材から形成したことを特徴とする請求項１記載の腕時計。
【請求項３】
前記リストバンドを、その長手方向に沿って連結される複数の駒により構成し、
前記リストバンドの最も前記本体ケースに近い第一駒が、前記バンド取り付け部材の少なくとも前記第三の貫通穴を被うと共に、当該第三の貫通穴に相当する位置に前記係止穴を設けたことを特徴とする請求項１又は２記載の腕時計。
【請求項４】
前記バンド取り付け部材は、前記バンドの第一駒を貫通するバンド取り付け突起を有すると共に、当該バンド取り付け突起が、前記リストバンドの第二駒と連結されることを特徴とする請求項３記載の腕時計。
【請求項５】
前記外装ケースの外面の一部又は全部を覆うカバーを備え、
前記カバーは、当該カバーと外装ケースとの間に設けられた凹凸構造により前記外装ケースに嵌め込み装着され、
前記凹凸構造による係止状態を取り外す方向側から当接する当接面を前記バンド取り付け部材に設けたことを特徴とする請求項１，２，３又は４記載の腕時計。
【請求項６】
前記棒状部材がその長手方向に沿って弾性的に収縮させることを可能とし、
前記リストバンドは前記棒状部材を収縮させた状態で当該棒状部材の両端部を支持することを特徴とする請求項１、２，３，４又は５記載の腕時計。
【発明の詳細な説明】
【０００１】
【発明の属する技術分野】
本発明は、腕時計に係り、特に外装ケースを備える腕時計に関する。
【０００２】
【従来の技術】
従来の腕時計１００は、図１０に示すように、ムーブメントや電子モジュール（図示略）を格納する本体ケース１２０と、本体ケース１２０の外面の一部又は全部を覆う軟質合成樹脂からなる外装ケースとしてのベゼル１３０と、本体ケース１２０を人間の手首に装着するための時計バンド１４０とを備えている（特許文献１参照）。
そして、外装ケース１３０は、本体ケース１２０に対してビス１３１により装着されており、時計バンド１４０は、本体ケース１２０に対してバンドピン１４１により装着されていた。
【０００３】
【特許文献１】
特開平７−６３８６３号公報（段落番号０００９，００１０，図１及び図６）
【０００４】
【発明が解決しようとする課題】
しかしながら、上記腕時計１００では、外装ケース１３０がビス１３１を使用して本体ケース１２０に固定されていたので、腕時計１００の組み立て作業に際してビス止め作業が不可欠となり煩雑であり、また、部品点数も多くなるので、生産性が低下するという不都合があった。
また、ビス及びビス穴を配置するスペースを考慮しなければならず、時計全体の形状の設計の自由度が低下するという不都合があった。
本発明は、本体ケースに外装ケースを固定するビスを不要とし、生産性の向上を図ることを、その目的とする。
【０００５】
【課題を解決するための手段】
請求項１記載の発明は、例えば図２に示すように、文字盤の平面に沿った任意の一方向に沿って外方に突出すると共に任意の一方向に略直交する方向に沿って第一の貫通穴（２５）が形成された係合突起部（２４）を備える本体ケース（２０）と、この本体ケースの表面に取り付けられ、係合突起部に並んで突出すると共に第一の貫通穴と同一軸上となる位置に第二の貫通穴（３２）が形成された突部（３１）を有する外装ケース（３０）と、係合突起部及び突部が挿入される凹状部（４２）を有すると共に第一及び第二の貫通穴と同一軸上となる位置に第三の貫通穴（４４）が形成されたバンド取り付け部材（４０）と、一端部がバンド取り付け部材に装着されるリストバンド（６０）と、第一，第二及び第三の全ての貫通穴に挿入される棒状部材（５０）とを備え、リストバンドに、棒状部材の両端部の各々に係止される係止穴（６１ｇ）を設ける、という構成を採っている。
【０００６】
上記記載中「文字盤の平面に沿った任意の一方向」とは、アナログ式の腕時計の文字盤の面に平行な任意の一方向を示す意味であり、デジタル式の腕時計の場合には液晶面に平行な任意の一方向を示すものとする。
【０００７】
請求項１記載の発明によれば、本体ケースに外装ケースを装着すると、係合突起部と突部とが並ぶと共に第一の貫通穴と第二の貫通穴とが同一軸上に並ぶ。さらに、係合突起部及び突部を凹状部に挿入すると、バンド取り付け部材の第三の貫通穴が第一及び第二の貫通穴と同一軸上に並ぶ。かかる状態で棒状部材を第一〜三の貫通穴の全てに挿入し、外部に突出する棒状部材の両端部のそれぞれをリストバンドの各係止穴に挿入してリストバンドを係止状態とする。なお、各係止穴は貫通状態で設けても良いし、棒状部材の各端部がそれぞれ挿入可能な有底穴であっても良い。
上述のように、第一〜三の貫通穴に一つの棒状部材が挿入され、さらにその両端部に各係止穴を介してリストバンドが形成されることにより、本体ケース，外装ケース，バンド取り付け部材及びリストバンドが一体的に連結される。
【０００８】
請求項２記載の発明は、請求項１記載の発明と同様の構成を備えると共に、バンド取り付け部材（４０）を弾性素材から形成する、という構成を採っている。
上記構成では、本体ケースとリストバンドとの間に介在するバンド取り付け部材が弾性を備えているので、本体ケース又はリストバンドに外部から衝撃を受けた場合であっても、バンド取り付け部材が緩衝材となり、衝撃が吸収緩和される。
【０００９】
請求項３記載の発明は、請求項１又は２記載の発明と同様の構成を備えると共に、リストバンド（６０）を、その長手方向に沿って連結される複数の駒（６１，６２，６３）により構成し、リストバンドの最も本体ケース（２０）に近い第一駒（６１）が、バンド取り付け部材（４０）の少なくとも第三の貫通穴を被うと共に、当該第三の貫通穴に相当する位置に係止穴（６１ｇ）を設ける、という構成を採っている。
【００１０】
請求項３記載の発明によれば、請求項１又は２記載の発明と同様の作用を奏すると共に、リストバンドの取り付けの際には、当該リストバンドの第一駒がバンド取り付け部材に取り付けられる。かかる第一駒は、バンド取り付け部材の第三の貫通穴の両側の開口部を覆うので、当該第三の貫通穴の両開口部から突出する棒状部材を挟み込むようにして係合することとなり、リストバンドの取り付けと、棒状部材の脱落防止との双方が実現する。
【００１１】
請求項４記載の発明は、請求項３記載の発明と同様の構成を備えると共に、例えば、図６に示すように、バンド取り付け部材（４０Ａ）は、バンドの第一駒（６１）を貫通するバンド取り付け突起（４７Ａ）を有すると共に、当該バンド取り付け突起が、リストバンドの第二駒（６２）と連結される。
上記記載において、「リストバンドの第二駒」とは第一駒に隣接する駒のことをいうものとする。
【００１２】
請求項４記載の発明によれば、請求項３記載の発明と同様の作用を奏すると共に、バンド取り付け部材が本体ケースとは反対側に突出するバンド取り付け突起を有し、この突起の先端部側で第二駒との連結が図られる。なお、「第一駒を貫通する」とは、例えば、第一駒に貫通穴を設けてそこにバンド取り付け突起を挿入させる構造であっても良いし、第一駒に溝を設けてそこをバンド取り付け突起が通過する構造としても良い。また、第一駒を薄肉構造としてバンド取り付け突起のみを露出させた状態でバンド取り付け部材を覆うようにしても良い。
【００１３】
請求項５記載の発明は、請求項１，２，３又は４記載の発明と同様の構成を備えると共に、外装ケース（３０）の外面の一部又は全部を覆うカバー（問えば被せベゼル３５）を備え、カバーは、当該カバーと外装ケースとの間に設けられた凹凸構造（例えば突起３３と係合穴３６）により外装ケースに嵌め込み装着され、凹凸構造による係止状態を取り外す方向側から当接する当接面（４１）をバンド取り付け部材（４０）に設ける、という構成を採っている。
【００１４】
請求項５記載の発明によれば、一例として突起と係合穴のような凹凸構造の一方をカバーに，他方を外装ケースに設け、かかる突起を係合穴に嵌め込むことによりカバーを外装ケースに連結する。そして、このカバーにより覆われた部分について強度性の向上を図ることができ、特に、凹凸構造によりカバーを装備したことから、ネジ止めと比較して、外部の衝撃が内側に伝わりにくく、時計のムーブメントやモジュール等の保護がより強化される。
【００１５】
また、通常、カバーが凹凸構造により係合状態にある場合、凸部の突出した方向に沿って凹部から引き離す操作により凹凸構造の係合の解除が行われる。
しかし上記構成では、バンド取り付け部材がカバーに対してその引き離し方向から当接した状態で本体ケースに装着されているので、カバーが凹凸構造の係合の解除を行う方向に移動することを規制される。つまり、バンド取り付け部材がカバーのストッパとなり、その保持状態が堅守される。
【００１６】
請求項６記載の発明は、請求項１、２，３，４又は５記載の発明と同様の構成を備えると共に、棒状部材（５０）がその長手方向に沿って弾性的に収縮させることを可能とし、リストバンド（６０）は棒状部材を収縮させた状態でその両端部を支持する、という構成を採っている。
【００１７】
請求項６記載の発明によれば、請求項１，２，３，４又は５記載の発明と同様の作用を奏すると共に、第一〜三の貫通穴に棒状部材を挿通させ、各貫通穴の外部に露出する棒状部材の両端部を弾性に抗して押圧してその全長を収縮させ、かかる状態でリストバンドの各係止穴に各端部を挿入させる。棒状部材の両端を支持するリストバンドは、収縮状態により生じる弾性により押圧力を受けて係止穴と棒状部材の係合状態は維持される。また、棒状部材はその両端部がリストバンドの各係止穴により支持されている状態にあるので、その長手方向に沿った移動が規制され、第一〜三の貫通穴に挿通された状態が維持される。
このように、棒状部材の収縮と固定部材の嵌め込みという簡易な作業により腕時計の組み立てを工具なしで可能とするので、その生産性の向上に寄与することとなる。
【００１８】
【発明の実施の形態】
［第一の実施形態］
本発明の第一の実施形態を図１乃至図５に基づいて説明する。図１は本実施形態たる腕時計１０の分解正面図であり、図２は図１のＸ−Ｘ線に沿った断面図であり、図３は腕時計の組み立て後の正面図であり、図４は図３のＹ−Ｙ線に沿った断面図であり、図５は後述する棒状部材５１の断面図である。
【００１９】
腕時計１０は、ムーブメントや電子モジュール（図示略）を格納する本体ケース２０と、本体ケース２０の文字盤側正面部の周囲を覆う外装ケース３０と、この外装ケース３０の外面のほぼ全体を覆うカバーとしての被せベゼル３５と、本体ケース２０に装着されるバンド取り付け部材４０と、本体ケース２０を人間の手首に装着するためのリストバンド６０と、これらを一体的に連結する棒状部材５１とを備えている。
【００２０】
まず、本体ケース２０について説明する。上記本体ケース２０は、文字盤側正面部に配設され，計時機能を有するモジュールＭの表示部（或いはムーブメントの文字盤）を保護する透明板２１と、この透明板２１をその周囲から保持すると共にその周囲に側壁部を形成する枠体２２と、透明板２１に対向して枠体に保持された底板２３とによりムーブメントを格納する密閉容器を構成している。上記透明板２１は強化ガラス又は強化プラスティック等からなり、枠体２２はＡＢＳ樹脂、底板２３はステンレス等の金属からなる。
【００２１】
さらに、本体ケース２０における文字盤側正面部の１２時６時方向における両端部（アナログの文字盤を採用したとしたならば当該文字盤の中心から１２時を指す方向及び６時を示す方向における端部）には枠体２２から突出して設けられた係合突起部２４が形成されている。かかる係合突起部２４は、本体ケース２０と外部ケース３０とバンド取り付け部材４０とリストバンド６０とを一体的に連結するために設けられており、連結時には後述するバンド取り付け部材４０の凹状部４２に挿入される。さらに、この係合突起部２４には、本体ケース２０の文字盤における３時９時方向（アナログの文字盤を採用したとしたならば当該文字盤の３時から９時を指す方向）に沿って第一の貫通穴２５が設けられている。以下、この第一の貫通穴２５の中心線に沿った方向を貫通穴方向Ｃとする。
【００２２】
また、係合突起部２４には、その挿入後，バンド取り付け部材４０の凹状部４２からの抜脱を規制するための凸状部としての規制爪２６が設けられている。上記規制爪２６は、係合突起部２４の突出方向に対して９０［°］に近い角度で突出し、さらにその先端部は係合突起部２４の突出方向とは逆の方向を向いている。
また、規制爪２６は、Ｃ方向について当該係合突起部２４とおおむね同程度の幅に設定されている。なお、規制爪２６はより幅を小さく設定しても良いし、幅の小さいものを係合突起部２４のほぼ全幅に渡って複数並べて設ける構成としても良い。
【００２３】
次に、外装ケース３０について説明する。外装ケース３０は、透明板２１の正面側を広く開口した状態で枠体２２の正面及び側面のほぼ全体に渡って覆うように当該枠体２２に装着される。そして、この外装ケース３０は、本体ケース２０の枠体２２よりも弾性を備えたポリウレタン等の素材からなり、枠体２２を覆うことにより当該枠体２２を保護する緩衝材としての機能を発揮する。
【００２４】
外装ケース３０は、外装ケース３０を本体ケース２０に装着した状態において係合突起部２４の貫通穴方向Ｃ側の両側の端面に個別に隣接すると共に、当該係合突起部２４と同方向に突出した二つのリブ状の突部３１を備えている。この突部３１は、貫通穴方向Ｃに垂直な断面に沿った断面形状が係合突起部２４と等しく形成されており、これらが互いに隣接するときにはズレによる凹凸を生じない。
【００２５】
そして、各突部３１にも、貫通穴方向Ｃに沿った第二の貫通穴３２が形成されている。これら第二の貫通穴３２は、外装ケース３０が本体ケース２０に装着された状態において、その中心線が係合突起部２４の第一の貫通穴２５の中心線と同一線上となり、且つ、その内径が第一の貫通穴２５と等しく設定されている。従って、外装ケース３０を本体ケース２０に装着した状態にあっては、第一の貫通穴２５と二つの第二の貫通穴３２とは、Ｃ方向に沿って見たときにズレのない状態で一致することとなる。
また、外装ケース３０の側面における各突部３１間には被せベゼル３５を装着するための凹凸構造の凸側となる突起３３が突設されている。これについては詳細を後述する。
【００２６】
次に、バンド取り付け部材４０について説明する。バンド取り付け部材４０は、外装ケース３０と同様に弾性を備えたポリウレタン等の素材からなり、本体ケース２０とリストバンド６０との間に設けられている。そして、バンド取り付け部材４０の本体ケース２０側の端部には、並んで突出する係合突起部２４及び突部３１が挿入される凹状部４２を有している。かかる凹状部４２は、このように係合突起部２４及び突部３１を覆うので、これらの部位の保護を図ると共に、バンド取り付け部及び突部がリストバンドにより覆われるので、外観の煩雑さを解消し、デザイン性の自由度を確保することが可能となる。
さらに、この凹状部４２の貫通穴方向Ｃにおける両側の壁面には、それぞれ外部に貫通する第三の貫通穴４４が形成されている。
【００２７】
上記凹状部４２は、Ｃ方向に垂直な面に沿った断面形状が本体ケース２０の係合突起部２４の同方向断面形状に等しくなるように窪んでおり、Ｃ方向の幅は係合突起部２４と二つの突部３１の合計幅とほぼ等しく設定されている。これにより、係合突起部２４及び二つの突部３１を同時に挿入することを可能としている。さらに、凹状部４２の内側には係合突起部２４の規制爪２６に相当する位置に当該規制爪２６の形状に応じた受け穴４６が設けられている。従って、凹状部４２に係合突起部２４を挿入した場合には、規制爪２６が受け穴４６に入り込み、凹状部４２からの容易な脱落が防止される。
【００２８】
また、バンド取り付け部材４０は、凹状部４２に係合突起部２４を挿入した場合に、被せベゼル３５の側面に当接する当接面４１と本体ケース２０の底板２３に当接する当接面４５とを有しており、これら二つの当接面４１，４５によりバンド取り付け部材４０が本体ケース２０に連結された状態において、ガタつきを生じることなく安定した状態を維持することができる。
【００２９】
一方、二つの第三の貫通穴４４は、係合突起部２４と各突部３１とが凹状部４２に嵌合した状態において、その中心線が第一の貫通穴２５及び第二の貫通穴３２の中心線と同一線上となり、且つ、その内径がこれら第一及び第二の貫通穴２５，３２と等しく設定されている。
従って、本体ケース２０に外装ケース３０を装着し、且つ、係合突起部２４及び各突部３１を凹状部４２に挿入させた状態において、第一の貫通穴２５と二つの第二の各貫通穴３２と二つの第三の各貫通穴４４とは、同一軸上に並び且つズレのない状態で一致することとなる。
【００３０】
次に、リストバンド６０について説明する。リストバンド６０は、その一端部がバンド取り付け部材４０と共に本体ケース２０の係合突起部２４に連結される。
リストバンド６０は、その長手方向に沿って連結される複数の駒により構成されている。そして、リストバンド６０は、本体ケース２０に取り付けられる端部側において、最も本体ケース２０に近接する第一駒６１と、これに隣接する第二駒６２と、第一駒６１と第二駒６２とを連結する中駒６３とを有している。
【００３１】
上記第一駒６１は、プレス加工により薄肉状の金属（アルミ合金，チタン等）から形成されている。この第一駒６１は、リストバンド６０の裏面となる底面部６１ａと、この底面部６１ａの左右両側から立ち上げられた側面部６１ｂと、底面部６１ａにおける本体ケース２０から遠方となる端部（奥側端部とする）から立ち上げられた端面部６１ｃと、底面部６１ａと対向する上面部６１ｄとを備え、端面部６１ｃと上面部６１ｄとはこれらの中央に設けられた切り欠き部６１ｅにより二分されている。また、第一駒６１の本体ケース２０側となる端部（開口端部とする）は広く開口されている。
【００３２】
そして、この第一駒６１の開口端部から奥側端部に向かって中駒６３が挿入され、さらに中駒６３に続いてバンド取り付け部材４０が挿入される。このため、中駒６３とバンド取り付け部材４０とは、第一駒６１の両側側面部６１ｂと上面部６１ｄとにより覆われた状態となる。特に、バンド取り付け部材４０は、第一駒６１の両側面部６１ｂにより、両方の第三の貫通穴４４の外側開口部が覆われた状態となっている。
【００３３】
また、第一駒６１の両側の側面部６１ｂには、その奥側端部寄りの位置に、中駒６３と第一駒６１とを固定するための伸縮自在の棒状部材（図示略）の両側の端部がそれぞれ挿入されて係止されるための係止穴６１ｆが形成されている。さらに、第一駒６１の両側の側面部６１ｂの前述した第三の貫通穴４４に相当する位置には、本体ケース２０と外装ケース３０とバンド取り付け部材４０とを連結するための伸縮自在の棒状部材５１の両側の端部がそれぞれ挿入されて係止されるための係止穴６１ｇが形成されている。なお、後述するが、棒状部材５１はその両端部のみが他の部位に比較して小径に形成されており、各係止穴６１ｇは、かかる小径の端部とほぼ同径であって挿入可能な径に設定されている（中駒６３と第一駒６１とを固定するための伸縮自在の棒状部材も同じ構造であり、各係止穴６１ｇも同様の内径に設定されている）。
第一駒６１は、このようにバンド取り付け部材４０の二つの第三の貫通穴４４が開口する両側の側面部を覆い、第三の貫通穴４４よりも小さい係止穴６１ｇに棒状部材５１の両端部が挿入されるので、第一駒６１をバンド取り付け部材４０に対して連結することができると共に棒状部材５１の第一〜第三の貫通穴２５，３２，４４からの脱落を防止することが可能である。
【００３４】
中駒６３は、ＡＢＳ樹脂等の硬質のプラスチックからなり、第一駒６１へ挿入される挿入先端部が当該第一駒６１の切り欠き６１ｅの幅よりも若干狭い幅に設定されている。そして、挿入時において、第一駒６１の端面６１ｃから挿入先端部が突出した状態となる。また、中駒６３の後端部（挿入先端部とは反対側の端部）には、挿入方向への脱落を防止するために幅方向両側に張り出されたストッパ部６３ａが設けられている。従って、かかるストッパ部６３ａよりも挿入先端側の部分のみが第一駒６１の端面６１ｃから突出することになる。
さらに、中駒６３の挿入先端部には、その幅方向（Ｃ方向）に沿って貫通する貫通穴６３ｂが設けられており、ここには、中駒６３と第二駒６２とを連結するための後述する伸縮自在の棒状部材５６が挿入される。
また、中駒６３の後端部側にはストッパ部６３ａの張り出し方向における一端面から他端面にかけてＣ方向に沿って貫通する貫通穴６３ｃが設けられており、ここには、前述した中駒６３と第一駒６１とを固定するための伸縮自在の棒状部材が挿入される。
【００３５】
第二駒６２は、中駒６３の挿入先端部を挿入可能な幅で支持された二つのブロック部６２ａとこれらを連結支持する架設部６３ｂとを有している。かかる第二駒６２は、各ブロック部６２ａはいずれも架設部６２ｂを挟んで本体ケース２０の近傍となる端部と遠方となる端部にＣ方向に沿った貫通穴６２ｃ，６２ｄが形成されており、近傍となる貫通穴６２ｃは、中駒６３と第二駒６２とを連結するための伸縮自在の棒状部材５６の小径先端部が挿入される。また、遠方となる貫通穴６２ｄは、図示を省略したこれよりも遠方となる中駒と第二駒６２とを連結するための伸縮自在の棒状部材の小径先端部が挿入される。
【００３６】
リストバンド６０は、本体ケース２０に、その１２時６時方向の両端部にそれぞれ装着されるバンド取り付け部材４０を介してその一端部と他端部とが連結される。そして、リストバンド６０の一端部と他端部の両方に、上記第一駒６１，中駒６３，第二駒６２が設けられている。さらに、これらの間は、図示しない中駒６３，第二駒６２及び中駒６３と第二駒６２とを一体化した駒とを連結してベルト状を形成している。また、その途中には、人間の手首に着脱するためにリストバンド６０の全長を緩めた状態と締めた状態とを切り替え可能な図示しない着脱機構が設けられている。
【００３７】
次に、棒状部材５１，５６について図５に基づいて説明する。図５は棒状部材５１の構造を示す断面図である。
図５に示すように、棒状部材５１は、その内径及び外径が一様な筒状体５３と、筒状体５３の一端部と他端部とにおいてそれぞれ筒状体の長手方向に沿って突出と後退とを自在に支持された突出ピン５４，５４と、双方の突出ピン５４，５４に常時突出状態を付勢するコイルバネ５５とを備えている。
上記筒状体５３は両端面の中央に挿通穴が設けられた側壁を有し、これら各挿通穴に突出ピン５４，５４が係合している。また、その外径は第一〜三の貫通穴２５，３２，４４に挿入可能な大きさに設定されている。
突出ピン５４は、筒状体５３の挿通穴に挿通自在の棒状のピン本体５４ａと、筒状体５３の内側となる端部に設けられたピン本体５４ａよりも大径のバネ受け部５４ｂと、外側となる端部近傍に設けられ，ピン本体５４ａの筒状体５３の内部への入り込み過ぎを防止する移動止め部５４ｃとからなる。ピン本体５４ａの外方に突出した端部の外径はリストバンド６０の第一駒６１の係止穴６１ｇに挿入可能な大きさに設定され、移動止め部５４ｃの外径は同係止穴６１ｇよりも大きく設定されている。
棒状部材５１は、上記構造により、通常は各突出ピン５４，５４がコイルバネ５５に付勢されて突出状態にあることから最大長となり、かかるコイルバネ５５に抗して各突出ピン５４を後退させることにより、より収縮させることが可能である。
また、棒状部材５１は、その自然長がリストバンド６０の第一駒６１の各貫通穴６１ｇが設けられた位置における両側面部６１ｄの内側間隔よりも長く、且つ当該間隔よりも短くなるまで収縮させることができる。
即ち、かかる棒状部材５１は、第一〜三の貫通穴２５，３２，４４に挿入された状態で各突出ピン５４を後退させて、その先端部を第一駒６１の両係止穴６１ｇに挿入された状態で使用され、これにより、本体ケース２０，外装ケース３０，バンド取り付け部材４０及びリストバンド６０の第一駒６１を一体的に連結する機能を発揮する。
【００３８】
また、棒状部材５６は、上記棒状部材５１と同じ構造を備えており、その自然長のみが異なる構成となっている。即ち、棒状部材５６は、その自然長がリストバンド６０の第二駒６２の各貫通穴６２ｃが設けられた位置における両ブロック部６２ａの内側間隔よりも長く、且つ当該間隔よりも短くなるまで収縮させることができる。また、その筒状体の外径は中駒６３の貫通穴６３ｂに挿入可能な大きさに設定されている。これにより、棒状部材５６は中駒６３の貫通穴６３ｂに挿入された状態で各突出ピンを後退させて、その先端部を第二駒６１の両貫通穴６２ｃに挿入された状態で使用され、これにより、中駒６３と第二駒６２を一体的に連結する機能を発揮する。
【００３９】
また、中駒６３と第一駒６１とを固定するための伸縮自在の棒状部材も棒状部材５１と同じ構造を備えており、その自然長のみが異なる構成となっている。即ち、棒状部材の自然長は、リストバンド６０の第一駒６１の各係止穴６１ｆが設けられた位置における両側面部６１ｂの内側間隔よりも長く、且つ当該間隔よりも短くなるまで収縮させることができる。また、その筒状体の外径は中駒６３の貫通穴６３ｃに挿入可能な大きさに設定されている。これにより、棒状部材は中駒６３の貫通穴６３ｃに挿入された状態で各突出ピンを後退させて、その先端部を第一駒６１の両係止穴６１ｆに挿入された状態で使用され、これにより、中駒６３と第一駒６１を一体的に連結する機能を発揮する。
【００４０】
次に、被せベゼル３５について説明する。この被せベゼル３５は、外装ケース３０に密着して当該外装ケース３０の正面（透明板２１の周囲の面）と側面のほぼ全体を覆うステンレス等の金属からなる殻状のカバーである。そして、被せベゼル３５には、外装ケース３０の突起３３に対応する位置に突起嵌め込み用の係合穴３６が設けられている。即ち、かかる係合穴３６が被せベゼル３５を装着するための凹凸構造の凹側として機能する。被せベゼル３５を外装ケース３０に装着する際には、突起３３を押し込みつつ係合穴３６に挿入させる。これら突起３３と係合穴３６とは１２時６時方向における両端部に設けられているので、被せベゼル３５を１２時６時方向に広がる方向に引っ張らない限り、装着状態が維持されることとなる。
【００４１】
一方、バンド取り付け部材４０は、後述するように、本体ケース２０への装着時において被せベゼル３５に面接触する当接面４１，４５を備えている。腕時計１０の場合は、外装ケース３０の側面は被せベゼル３５に覆われているので、バンド取り付け部材４０の当接部４１は、被せベゼル６０Ｂの側面に面接触することになる。また、バンド取り付け部材４０の当接部４５は本体ケース２０の底板２３に面接触することになる。また、これらの当接面４１，４５はそれぞれ、第三の貫通穴４４を中心とする二つの半径方向にほぼ沿った状態となっているので、バンド取り付け部材４０が棒状部材５１により本体ケース２０及び外装ケース３０に連結されることにより各当接面４１，４５がそれぞれ上記位置に当接することで相互に当接状態が維持されることとなる。
【００４２】
さらに、前述した外装ケース３０の突起３３と被せベゼル３５の係合穴３６とは、バンド取り付け部材４０の当接面４１が面接触する範囲内に配置設定されている。従って、バンド取り付け部材４０はその当接面４１により、被せベゼル３５が外装ケース３０から外れる方向への移動を規制することとなる。従って、バンド取り付け部材４０は、本体ケース２０及び外装ケース３０に装着されることにより、被せベゼル３５を外装ケース３０に保持するストッパとしての機能を果たすことになる。
【００４３】
上記構成からなる腕時計１０の組み立て動作を説明する。まず、本体ケース２０に対して外装ケース３０を装着する。このとき、本体ケース２０の係合突起部２４の両側に突部３１が並ぶように外装ケース３０の装着が行われる。これにより、本体ケース２０の係合突起部２４に設けられた第一の貫通穴２５と各突部３１の第二の貫通穴３２とが同一軸上に並ぶこととなる。
さらに外装ケース３０の上から被せベゼル３５が装着される。かかる装着の際には、被せベゼル３５の突起嵌め込み用の係合穴３６に外装ケース３０の突起３３を挿入することにより行われる。
次に、バンド取り付け部材４０の凹状部４２に本体ケース２０の係合突起部２４及び外装ケース３０の両突部３３を挿入する。かかる挿入に際して凹状部４２内の受け穴４６に係合突起部２４の規制爪２６を係止させる。これにより、バンド取り付け部材４２は、本体ケース２０及び外装ケース３０に仮止めされる。
このとき、係合突起部２４に設けられた第一の貫通穴２５，各突部３１の第二の貫通穴３２及びバンド取り付け部材４０の両方の第三の貫通穴４４が同一軸上に並ぶこととなる。そして、このように同一軸上に並んだ第一〜第三の貫通穴２５，３２，４４に同時に棒状部材５１を挿入することで、本体ケース２０と外装ケース３０とバンド取り付け部材４０とを一体的に連結することが可能となる。
【００４４】
一方、リストバンド６０は、中駒６３の貫通穴６３ｃに棒状部材を挿入し、その両端部の突出ピンを押し込んだ状態で当該中駒６３を第一駒６１に挿入する。さらに、各突出ピンの先端部をそれぞれ第一駒６１の各係止穴６１ｆに挿入する。これにより、各突出ピンを押し込まない限り、中駒６３と第一駒６１の連結状態が維持されることになる。
そして、中駒６３の貫通穴６３ｂに棒状部材５６を挿入し、その両端部の突出ピンを押し込んだ状態で各突出ピンの先端部をそれぞれ第二駒６２の各貫通穴６２ｃに挿入する。これにより、各突出ピンを押し込まない限り、中駒６３と第二駒６２の連結状態が維持されると共に第一駒６１と第二駒６２とが中駒６３を介して連結さることとなる。また、これ以外の各駒はいずれも突出ピンと係止穴とを用いて相互間の回動を可能とした状態で連結される。
【００４５】
そして、リストバンド６０は、その端部に位置する第一駒６１を介して、バンド取り付け部材４０に連結が行われる。かかる連結の際には、前述した第一〜第三の貫通穴２５，３２，４４に挿入された棒状部材５１の両端部の突出ピン５４を押し込みつつ第一駒６１の開口端部からバンド取り付け部材４０の挿入を行う。そして、棒状部材５１の各突出ピン５４の先端部を第一駒６１の各係止穴６１ｇに挿入することにより、各突出ピン５４を押し込まない限り、リストバンド６０が本体ケース２０，外装ケース３０及びバンド取り付け部材４０に連結されることとなり、棒状部材５１のみにより本体ケース２０，外装ケース３０，バンド取り付け部材４０及びリストバンド６０の連結が図られることとなる。
【００４６】
以上のように、腕時計１０では、係合突起部２４と突部３１とバンド取り付け部材４０とにその組み立て時において同一軸上に並ぶ貫通穴２５，３２，４４を設け、さらにリストバンド６０の第一駒６１に棒状部材５１の各先端部を挿入する係止穴６１ｇを設けたことにより、棒状部材５１のみによって本体ケース２０と外装ケース３０とバンド取り付け部材４０とリストバンド６０の連結を図ることを可能としている。従って、部品点数の軽減、各部品ごとの連結作業をなくすことで組み立て工数の低減を図り、生産性の向上を図ることが可能となる。
【００４７】
また、棒状部材５１は、その両端部の突出ピン４４が弾性をもってその両端部がリストバンド６０の第一駒６１の各係止穴６１ｇに挿入されるので、棒状部材５１を収縮させて嵌め込むという簡易な作業により腕時計１０の組み立てを可能とし、また工具も不要となるので、より作業性の向上を図ることが可能である。
【００４８】
［第二の実施形態］
本発明の第二の実施形態を図６乃至９に基づいて説明する。図６は本実施形態たる腕時計１０Ａの分解正面図であり、図７は図６のＺ−Ｚ線に沿った断面図であり、図８は腕時計の組み立て後の正面図であり、図９は図８のＷ−Ｗ線に沿った断面図である。なお、腕時計１０Ａについて前述した腕時計１０と同一の構成については同符号を付して重複する説明は省略するものとする。
【００４９】
腕時計１０Ａは、前述した腕時計１０のバンド取り付け部材４０とリストバンド６０の中駒６３とを一体化してそのバンド取り付け部材４０Ａを形成したことを特徴とする。従って、リストバンド６０Ａは、前述したリストバンド６０から中駒６３を除いた構成となっている。
以下、バンド取り付け部材４０Ａを中心に詳述することにする。
【００５０】
バンド取り付け部材４０Ａは、弾性を備えたポリウレタン等の樹脂素材或いはこれよりも硬質なＡＢＳ樹脂等からなり、本体ケース２０とリストバンド６０Ａとの間に設けられている。そして、このバンド取り付け部材４０Ａの本体ケース２０の端部にはバンド取り付け部材４０と同様の凹状部４２が形成されてる。そして、この凹状部４２の内部からＣ方向における両側面に貫通する第三の貫通穴４４が設けられている点も前述したバンド取り付け部材４０と同様である。
また、バンド取り付け部材４０Ａは、第三の貫通穴４４を中心とする半径方向にほぼ沿うように二つの当接面４１，４５を有し、第三の貫通穴４４を中心とする揺動を規制すると共に当接面４１が被せベゼル３５の脱落を防止することもバンド取り付け部材４０と同様である。
【００５１】
バンド取り付け部材４０Ａのリストバンド６０Ａ側の端部には当該リストバンド６０Ａ側に突出するバンド取り付け突起４７Ａが設けられている。かかるバンド取り付け突起４７Ａは、そのＣ方向における幅がリストバンド６０Ａの第二駒６２の二つのブロック部６２ａの間に挿入可能な大きさに設定されており、その先端部近傍にはＣ方向に沿って貫通穴４８Ａが形成されている。かかる貫通穴４８Ａにはリストバンド６０Ａの第二駒６２と連結を図る棒状部材５６が挿入される。
【００５２】
上記構成からなる腕時計１０Ａの組み立て動作を説明する。
まず、外装ケース３０及び被せベゼル３５が装着された本体ケース２０に対して、バンド取り付け部材４０Ａの凹状部４２に本体ケース２０の係合突起部２４及び外装ケース３０の両突部３３を挿入する。かかる挿入に際して凹状部４２内の受け穴４６に係合突起部２４の規制爪２６を係止させる。これにより、同一軸上に並んだ第一の貫通穴２５，第二の貫通穴３２及び第三の貫通穴４４に対して同時に棒状部材５１を挿入することで、本体ケース２０と外装ケース３０とバンド取り付け部材４０Ａとが一体的に連結される。
【００５３】
さらに、バンド取り付け部材４０Ａのバンド取り付け突起４７Ａをリストバンド６０Ａの第一駒６１の開口端部に挿入し、当該第一駒６１の装着を行う。このとき、第一駒６１の切り欠き部６１ｅからバンド取り付け部材４０Ａのバンド取り付け突起４７Ａが貫通し、その端面部６１ｃから突出した状態となる。また、第一駒６１の各側面部６１ｃに形成された各係止穴６１ｇに、各貫通穴２５，３２，４４に挿入された棒状部材５１の各突出ピン５４の先端部が挿入される。これにより、第一駒６１がバンド取り付け部材４０Ａに対して係止され、連結状態が維持される。
【００５４】
さらに、第一駒６１から突出したバンド取り付け部材４０Ａのバンド取り付け突起４７Ａは、その貫通穴６３ｂに棒状部材５６が挿入されると共にその突出ピンの先端部が押し込まれた状態で、当該バンド取り付け突起４７Ａの先端部が第二駒６２の各ブロック部６２ａ間に挿入される。これにより、棒状部材５６の各突出ピンの先端部は、第二駒６２の各貫通穴６２ｃに挿入され、バンド取り付け部材４０Ａと第二駒６２との連結状態が形成される。
【００５５】
以上のように、腕時計１０Ａの構成によれば、腕時計１０と同様の効果を有すると共に、バンド取り付け部材４０Ａが中駒と一体化を図っているので部品点数の低減を図り、生産性の向上を図ることが可能である。また、中駒と第一駒６１とを連結するための棒状部材を不要とし、貫通穴を不要とすると共に、これらを連結する作業を不要とするので、かかる面からも飛躍的に生産性が向上する。
【００５６】
なお、上記各実施形態では、リストバンドが複数の駒からなる構成であるが、特にこのような構成に限定されず、例えば、全体を可撓性を有する素材（例えば、樹脂）により一体的に形成しても良いし、第一駒のみ前述のものとして、それ以外を可撓性を有する素材で一体的に形成しても良い。
また、リストバンドは、本体ケース２０の１２時方向と６時方向のそれぞれに設けられ、その先端部で連結する方式のものを使用しても良いことはいうまでもない。
【００５７】
また、外装ケース３０の突起３３と被せベゼル３５の係合穴３６の個体数については、一つに限らずより多くとも良い。その場合、突起３３及び係合穴３６の一部又は全部について、バンド取り付け部材の当接面４１により隠れる配置とすることが望ましい。
さらに、被せベゼル３５については外装ケース３０よりも硬質であればその素材はステンレス等の金属に限定されるものではない。
【００５８】
【発明の効果】
請求項１記載の発明は、第一〜三の貫通穴に一つの棒状部材が挿入され、さらにその両端部が各係止穴に挿入されることにより、本体ケース，外装ケース，バンド取り付け部材及びリストバンドを一の部材である棒状部材により一体的に連結することが可能となる。従って、部品点数の軽減を図り、生産性の向上を図ることが可能となる。また、煩雑なビス止め作業を不要として、組み立てにおける作業効率の向上を図ることが可能である。また、同様の理由から、ビス用の穴の配置及びその占有スペースを考慮する必要がなくなり、設計自由度を確保することからより生産性の向上を図ることが可能となり、同時に、小型化，軽量化や強度の向上にも貢献する。さらに、腕時計の表面にビスが曝されることもないので、外観の煩雑さを解消し、よりデザイン性の向上を図ることも可能である。
【００５９】
さらに、バンド取り付け部材に係合突起部及び突部を挿入可能な凹状部を設け、これにより、係合突起部及び突部を覆っているので、これらの部位の保護を図ることができ、保守性の向上を図ることが可能である。さらに、バンド取り付け部及び突部がリストバンドにより覆われるので、これらによる外観の煩雑さを解消し、デザイン性の自由度を確保することが可能となる。
【００６０】
請求項２記載の発明は、バンド取り付け部材が弾性を有する素材により形成されているので、当該バンド取り付け部材が本体ケースとリストバンドとの間で緩衝材として機能し、外部からの衝撃を吸収緩和し、耐衝撃性の向上を図ることが可能となる。
【００６１】
請求項３記載の発明は、リストバンドの第一駒がバンド取り付け部材の一部を覆うので当該バンド取り付け部材を保護強化を図ることが可能である。さらに、第一駒は、バンド取り付け部材の第三の貫通穴の両側開口部を覆うので、第三の貫通穴に挿入された棒状部材に対してその両側から挟み込むように係合し、リストバンドの取り付けと挿入された棒状部材の脱落を防止することが可能となる。
また、さらに、第一駒はバンド取り付け部材を覆う構造であることからプレス加工等による薄肉構造をとることができ、中実のブロック構造をとる場合よりも材料コストを低減し、さらなる生産性の向上を図ることが可能となる。
【００６２】
請求項４記載の発明は、リストバンドの第二駒が直接バンド取り付け突起に連結されるので、第一駒と第二駒との連結を図る中駒を不要とすることが可能となり、部品点数の低減を図ることができる。従って、腕時計全体の生産性の向上を図ることが可能となる。
【００６３】
請求項５記載の発明は、カバーにより外装ケースの外部が覆われるので、より強度を向上させることが可能である。
また、カバーは外装ケースに対し、凹凸構造により装着されているので、ネジ止め等を行う場合と比較して、外部からの衝撃を本体ケースまで伝えにくく、当該衝撃から本体ケースやその内部のムーブメントをより効果的に保護することが可能である。
【００６４】
さらに、請求項５記載の発明では、カバーがバンド取り付け部材の当接面により取り外し方向の移動を記載されるので、カバーの取り付け状態を強固に維持することが可能となる。このため、カバーの不慮の脱落を防止することが可能となり、また防止するための固定具を不要とし、部品点数の軽減を図ることができるので生産性の向上も図られる。
【００６５】
請求項６記載の発明は、棒状部材を収縮自在にとし、収縮時の弾性力をもってその両端部がリストバンドの各係止穴に挿入されるので、棒状部材を収縮させて嵌め込むという簡易な作業により腕時計の組み立てを可能とし、また工具も不要となるので、より生産性の向上を図ることが可能である。
【図面の簡単な説明】
【図１】第一の実施形態たる腕時計の分解正面図である。
【図２】図１のＸ−Ｘ線に沿った断面図である。
【図３】腕時計の組み立て後の正面図である。
【図４】図３のＹ−Ｙ線に沿った断面図である。
【図５】図１に開示した棒状部材の断面図である。
【図６】第二の実施形態たる腕時計の分解正面図である。
【図７】図６のＺ−Ｚ線に沿った断面図である。
【図８】腕時計の組み立て後の正面図である。
【図９】図８のＷ−Ｗ線に沿った断面図である。
【図１０】従来例を示す側方断面図である。
【符号の説明】
１０，１０Ａ　腕時計
２０　本体ケース
２４　係合突起
２５　第一の貫通穴
３０　外装ケース
３１　突部
３２　第二の貫通穴
３３　係合穴（凹凸構造）
３５　被せベゼル
３６　係合穴
４０，４０Ａ　バンド取り付け部材
４１　当接面
４２　凹状部
４４　第三の貫通穴
４７Ａ　バンド取り付け突起
４８Ａ　窪み部（凹部）
５１，５６　棒状部材
６０　リストバンド
６１　第一駒
６１ｇ　係止穴
６２　第二駒
【図１】
2004125428.tif 000003
【図２】
2004125428.tif 000004
【図３】
2004125428.tif 000005
【図４】
2004125428.tif 000006
【図５】
2004125428.tif 000007
【図６】
2004125428.tif 000008
【図７】
2004125428.tif 000009
【図８】
2004125428.tif 000010
【図９】
2004125428.tif 000011
【図１０】
2004125428.tif 000012